(57)【特許請求の範囲】
【請求項１】
所定間隔を置いて起立する逆U字形を呈する複数の縦気筒の間に棟木気筒及び軒桁気筒を設けた空気膨脹式骨格を形成すると共に前記骨格全体に天幕を一体に覆ってなる空気膨脹型簡易ハウスにおいて、前記骨格の棟木気筒に風洞を着脱自在に設置し、該風洞は可撓性材料で作成された筒状体に長手方向に列状に穿った空気噴出口ならびに一端に送風機に通じる取付口を設けると共に風洞の垂直断面の中心から仰角をなす位置で、垂直方向直径を軸として対称の位置に、対をなす一方の面ファスナー及び他方の面ファスナーを設置することを特徴とする室温調整機能をもつ空気膨脹型簡易ハウス。
【請求項２】
所定間隔を置いて起立する逆U字形を呈する複数の縦気筒の間に棟木気筒及び軒桁気筒を設けた空気膨脹式骨格を形成すると共に前記骨格全体に天幕を一体に覆ってなる空気膨脹型簡易ハウスにおいて、前記骨格の棟木気筒に風洞をファスナにより平行して懸垂することによって着脱自在に設置し、該風洞は可撓性材料で作成された筒状体に長手方向に列状に穿った空気噴出口ならびに一端に送風機に通じる取付口及び前記筒状体自身を折り畳まれた状態に保持する止め具をそれぞれ設けて構成したことを特徴とする室温調整機能をもつ空気膨脹型簡易ハウス。
【発明の詳細な説明】
【０００１】
【発明が属する技術分野】
本発明は、室内の温度の高低を調整する機能をもつ膨脹型簡易ハウスに関するものである。
【０００２】
【従来の技術】
空気膨脹型簡易ハウスは、格納、搬送、設営、撤去等が至便なため、災害や事故の発生現場や催物会場等で多く使用されている。このような空気膨脹型簡易ハウスには種々のものがあるが、一般には、定間隔を置いて起立する逆Ｕ字形を呈する複数の柱気筒の間に棟木気筒及び軒桁気筒を設けて空気膨脹式骨格を形成すると共に前記骨格全体に天幕を一体に覆って形成し、空気を充填するだけで骨格が膨脹形成され、それに伴って天幕が展張するような構造の空気膨脹型簡易ハウスが普通一般に提供されている。
【０００３】
【発明が解決しようとする課題】
しかしながら、この種従来の空気膨脹型簡易ハウス（以下単に「ハウス」という）の日光や風雨を遮るものは、骨格を覆っている天幕の一重又は二重の天蓋部や側壁幕だけなので、密閉度は比較的高いものの、断熱効果が悪く、夏期、特に、直射日光が当たれば、室温は著しく上昇するし、冬期や夜間の室内の温度は、極端に低下する等の室内の温度調整がうまくできないという課題があった。
【０００４】
また、前記ハウスは、構造的に冷房器のような重量を支える剛性のものがないので、室内に冷房器を取付けようがなく、室内の地面、即ち床面に置くより他なく、冷房器を室内の床面に置いたのでは、冷房効果は悪いし、また、室内は然程広くないのが一般であるので、床面に冷房器を置いたのでは邪魔になるのが避けられなかった。
【０００５】
一方、室内に暖房機を設備するとしても、燃焼式のものは、ハウスの密閉度が高いのでガス中毒等の危険があって使用できないし、電熱式のものでは相当する電源がなくてはならないが、電源があったとしても、暖房機を床面に置かれるとこれまた邪魔になるのは避けられなかった。
【０００６】
更に、室内に冷房器や暖房機を設備する代わりに、室内へ温風、冷風を送気するとしても前記したように、このハウスには剛性のものが全くないので蛇腹式の伸縮性のある風洞ですら室内に設置することは困難であり、室内の床面に置いたのでは効果は低いばかりでなく、邪魔になるのは避けられない。また、ハウスを設営、撤去、収納する場合、蛇腹式の風洞は、ハウスを設営してから後付により取付けたり、ハウスを撤去する際には前もって取外しておかなければならない等の風洞自体の取付及び撤去を別作業で扱わなければならず、長時間と煩雑な作業を要するのが免れなかった。
【０００７】
本発明は、上記の課題に鑑みてなされたものであって、その目的とするところは、冷風又は温風を室内に噴出する風洞を膨脹式骨格に取付けて、室内の居住空間を占有せずに配置設備すると共に冷風又は温風を室内の全域に万遍なく拡散させ得ること並びに前記風洞自体を単独で折り畳んでハウス内に格納でき、しかもハウスと一体化して折り畳み格納でき、更にハウスの内容積に応じて適合させ得る室温調整機能をもつ空気膨脹型簡易ハウスを得ることにある。
【０００８】
【課題を解決するための手段】
本願第1の発明は、所定間隔を置いて起立する逆U字形を呈する複数の縦気筒の間に棟木気筒及び軒桁気筒を設けた空気膨脹式骨格を形成すると共に前記骨格全体に天幕を一体に覆ってなる空気膨脹型簡易ハウスにおいて、前記骨格の棟木気筒に風洞を着脱自在に設置し、該風洞は可撓性材料で作成された筒状体に長手方向に列状に穿った空気噴出口ならびに一端に送風機に通じる取付口を設けると共に風洞の垂直断面の中心から仰角をなす位置で、垂直方向直径を軸として対称の位置に、対をなす一方の面ファスナー及び他方の面ファスナーを設置することを特徴とする室温調整機能をもつ空気膨脹型簡易ハウスである。
本願第2の発明は、所定間隔を置いて起立する逆U字形を呈する複数の縦気筒の間に棟木気筒及び軒桁気筒を設けた空気膨脹式骨格を形成すると共に前記骨格全体に天幕を一体に覆ってなる空気膨脹型簡易ハウスにおいて、前記骨格の棟木気筒に風洞をファスナーにより平行して懸垂するように着脱自在に設置し、該風洞は可撓性材料で作成された筒状体に長手方向に列状に穿った空気噴出口ならびに一端に送風機に通じる取付口及び前記筒状体自身を折り畳まれた状態に保持する止め具をそれぞれ設けて構成したことを特徴とする室温調整機能をもつ空気膨脹型簡易ハウスである。
【０００９】
前記風洞及び連結筒は、７０デニール、１０５デニール、２１０デニール等の比較的低デニールの平織布又はリップストップ織布等のような薄手の基布にゴム又は合成樹脂をコーティングした積層布でなるのが好ましい。
【００１０】
筒状体になる前記風洞は、対をなす各懸垂用ジッパーを縫着設置したそれぞれの布座を棟木気筒と風洞に融着設置して互いのジッパーを連結することにより、風洞を棟木気筒に平行して着脱自在に懸垂するのが好ましい。
【００１１】
前記風洞の空気噴出口は、垂直方向の断面の中心から俯角０乃至４５°の範囲内の位置で、垂直方向の直径を軸として対称する位置に、風洞の長手方向へ一定間隔を置いて列状に穿設設置するのが好ましい。
【００１２】
筒状体になる前記風洞を折り畳み格納保持する止め具は、風洞の垂直断面の中心から仰角をなす位置で、垂直方向直径を軸として対称の位置に、対をなす一方の面ファスナー及び他方の面ファスナーを接着設置し、該風洞を折り畳んで互いの面ファスナーの間に押し入れて互いの面ファスナーを結合することにより風洞を縮小格納するように形成するのが好ましい。
【００１３】
【発明の実施の形態】
本発明の実施の形態を図面を参照して説明すると、図1は天幕を一部切欠して示す空気膨脹型簡易ハウスの斜視図、図２は天幕を一部切欠して示す空気膨脹型簡易ハウスの正面図で、ハウスＨは、ゴム引布又は樹脂加工布のような気密性のある可撓性材料から左右の支柱部１ａ及び天面部１ｂを一連一体に有して逆U字形を呈する縦気筒１を所定間隔を置いて複数本を起立設置し、前記縦気筒１の天面部１ｂの間に棟木気筒２を設けると共に支柱部１ａの間に軒桁気筒３を設けた空気膨脹式の骨格４を形成し、該骨格４に天幕５が設けられる。該天幕５は天面壁５ａ、左右の側面壁５ｂ及び前面壁５ｃ，後面壁５ｄを一体に有して形成され、前記骨格４全体を覆って接着又は融着されて骨格４と天幕５とを一体に形成される。
【００１４】
本発明において、前記棟木気筒２に風洞６が該棟木気筒２に沿って対をなす懸垂用ジッパー７ａ，７ｂによって着脱自在に取付けられる。この風洞６の端部には、天幕５の前面壁５ｃの肩部に穿設した貫通孔８を介して室外に延びる連結筒９を延長形成し、該連結筒９の先端には送風機（図示せず）に通じる取付口１０が設けてある。前記風洞６の端部は天幕５の前面壁５ｃの貫通孔８に設けたジッパー１１により固定支持する。
【００１５】
前記風洞６及び連結筒９は、７０デニール、１０５デニール、２１０デニール等の比較的低デニールの平織布又はリップストップ織布等のような薄手の基布にゴム又は合成樹脂をコーティングした積層布で接着、融着又は逢着して筒状体に作成する。
【００１６】
筒状体に形成した前記風洞６には空気噴出口１２が穿設され、図３及び図５に示すように、その垂直方向の断面の中心から俯角０乃至４５°の範囲内の位置で、垂直方向の直径をＶｄ軸として対称する位置で風洞６の長手方向へ一定間隔を置いて列状に穿設設置するのが好ましい。
【００１７】
筒状体になる前記風洞６の懸垂用ジッパー７ａ，７ｂは、図３及び図４に示すように、それぞれの端を棟木用布座１３及び風洞用布座１４にそれぞれ糸１５，１６で縫着し、各布座１３，１４を棟木気筒２と風洞６の融着部１７，１８で融着してあって、ジッパー７ａと７ｂを連結することにより、風洞６を棟木気筒２に平行して着脱自在に懸垂される。
【００１８】
筒状体になる前記風洞６の垂直断面の中心から仰角をなす位置で、垂直方向直径をVd軸として対称の位置には、対をなす一方の面ファスナー１９ａ及び他方の面ファスナー１９ｂが接着剤２０ａ及び２０ｂで接着されていて、図４に示すように、風洞６を折り畳んで面ファスナー１９ａ及び１９ｂの間に押し入れて面ファスナー１９ａ及び１９ｂを結合することによって風洞６が縮小されて格納されるようにする。
前記風洞６は不使用時には、風洞６自体を折り畳んだ状態にして棟木気筒２に懸垂保持した状態で格納する。また、骨格４の空気を抜いて、ハウスHを折り畳んだとき、風洞６はハウスHの中に一緒に格納しても支障とならないようになっている。
【００１９】
前記連結筒９は、前記風洞６と同様に、一対の面ファスナー（図示せず）を設けて折り畳み自在に縮小格納することができるように形成して、送風機に接続していないときは、折り畳んで縮小させて格納しておくことができるようにするのが好ましい。
なお、前記風洞６は、一方の端部をハウスHの前面壁５ｃ又は後面壁５ｄのどちらか一方の壁面から室外へ延長する連結筒９を設ければ足りるが、風洞６の両端部に連結筒９を設けてハウスの両側の前面壁５ｃ及び後面壁５ｄのいずれからでも送風できるようにするのが好ましい。この場合、風洞６の両端部に設けてある緊締具２１で送気しない方の端部を閉塞し、同時に使用しない方の連結筒９（図１の右側に示す）は折り畳んで縮小格納しておく。
【００２０】
（実験１）
本発明に係るハウスHを下記に示す条件で試験をした。
条件；
風洞の直径：φ５５０
風洞の長さ：１７ｍ
空気噴出口の径：φ９．４
空気噴出口の数：１列に８５個、合計１７０個
空気噴出口の位置：風洞の垂直断面の中心から俯角０~４５°の範の両側
計算値：
風洞の断面積：Ｅ＝２３７６ｃｍ２
空気噴出口の総面積は次の数１の数式に示す通りである。
【００２１】
【数１】
0004099740.tif 000002
結果１：外気３０℃の直射日光下で冷風を送る試験をした結果、１時間後に室温は２０±２℃になり、この温度を保つことができた。
結果２：外気０℃の曇天下で温風を送る試験をした結果、１時間後に室温は１５±２℃に上昇し、この温度を保つことができた。
【００２２】
（実験２）
実験１における空気噴出口の位置と風洞の断面積Ｅと空気噴出口の総面積ΣＳを種々代えた試験をした結果、次の関係が判明した。即ち、風洞の断面積と空気噴出口の総面積との関係は下記の式で示す。
【００２３】
【数２】
0004099740.tif 000003
【００２４】
上記の数式から空気噴出口の位置は、俯角０~４５°の範囲に穿ったものが、冷房、暖房ともに効果的であった。
【００２５】
【発明の効果】
本発明のハウスは、風洞を棟木に平行して懸垂し、この風洞から室内に温風又は冷風を噴出させるようにしてあるので、噴出空気は室内に万遍なく拡散し、室内の温度調整を効果的になし得る。
【００２６】
本発明では、風洞を剛性のない膨脹式骨格に棟木に懸垂しているが、風洞は薄手の可撓性材料で作成してあるので、棟木を撓ませないばかりでなく、風洞は、送気している間中、棟木に平行して膨満した状態になり、一定の空気圧を保ちつつ各噴出口から噴出させるので、各噴出口から略均等量の空気を排出することができる。
【００２７】
本発明のハウスの風洞は、風洞自体を小さく折り畳んで棟木に平行して収納できるようにしてあるので、風洞を必要としないときは、収納しておけば垂れることがなく、室内に居る人の邪魔にならない。しかも、本発明の風洞は、軽量であると共に可撓性があるので、ハウスとともに折り畳んで収納することできるし、ハウスの搬送や格納に不便とならない。
【００２８】
本発明の風洞は、風洞自体を折り畳んで収納しておいたままで、ハウスを展張させた後、連結筒から送気送風すると風洞は、収納状態から自動的に開き、直ちに、空気を噴出することができるので、風洞設置等の手間が省ける。
【００２９】
更に、本発明のハウスの風洞は、棟木に着脱自在に取付けてあるので、風洞が破損しても容易に交換し得る等の効果を奏する。
【図面の簡単な説明】
【図１】本は明の空気膨脹型簡易ハウスの天幕を一部切欠して示す斜視図である。
【図２】本発明の空気膨脹型簡易ハウスの天幕を一部切欠して示す正面図である。
【図３】本発明の風洞の断面図である。
【図４】本発明の風洞を折り畳んで縮小格納して示す断面図である。
【図５】本発明の風洞に設けた空気噴出口の位置を示す説明図である。
【符号の説明】
H          ハウス
１          縦気筒
２          棟木気筒
３          軒桁気筒
４          骨格
５          天幕
６          風洞
７ａ，７ｂ  ジッパー
８          貫通孔
９        連結筒
１０      取付口
１１      ジッパー
１２      空気噴出口
１３        棟木用布座
１４        風洞用布座
１５，１６  糸
１７，１８  融着部
１９ａ，１９ｂ  面ファスナー
２０ａ，２０ｂ  接着
２１        緊締具
【図１】
0004099740.tif 000004
【図２】
0004099740.tif 000005
【図３】
0004099740.tif 000006
【図４】
0004099740.tif 000007
【図５】
0004099740.tif 000008